(57)【要約】【課題】強いスポット光が入射した場合に生じる水平方向の縞状のストリーキングを、遮光領域のない撮像エリアにおいても削除出来る撮像信号補正回路を提供する。【解決手段】中央部分の撮像画像が欠如しないように水平方向に複数の分割した撮像エリアＡ１〜撮像エリアＡ４の左右両端または片端の撮像エリアＡ１のみに水平方向に遮光部を設け、この遮光部から得られる信号レベルを検出して各撮像エリアに対応する補正信号を生成し、この補正信号を用いて各撮像エリアの信号に対して補正を行う。【選択図】      図１
2005130331.tif 000002
【特許請求の範囲】
【請求項１】
被写体光学像を受光する受光面（Ａ１〜Ａ４）と、
前記受光面の垂直方向及び水平方向に亘り多数の画素をマトリクス状に配置してなりかつ前記水平方向に配置されている前記多数の画素を所定数毎に前記水平方向に分割して得た複数の画素群と、
前記複数の画素群の両端又は片端に位置する前記画素群のうち前記垂直方向が前記受光面の端部に対応し前記水平方向が所定数の画素に対応する画素領域全体を遮光した遮光部と、を有する撮像素子から出力し、
前記遮光部及び前記複数の画素群のそれぞれから取り出す撮像信号を用いて、少なくともストリーキング現象を除去する撮像信号補正回路であって、
前記撮像素子が受光する光が遮断されている時に、前記各複数の画素群をライン方向に走査して得た撮像信号の直流レベルを得る第１の手段と、
前記撮像素子が受光する光が遮断されている時に前記遮光部のみから出力する直流レベルに対する、前記第１の手段から得られた直流レベルの差分を検出する第２の手段と、
前記被写体光像が撮像されている時に、前記各複数の画素群をライン方向に走査して得た撮像信号を得る第３の手段と、
前記被写体光像が撮像されている時の前記遮光部のみから出力する直流レベルから、前記撮像素子が受光する光を遮断されている時の前記遮光部のみから出力する直流レベルの差分を検出する第４の手段と、
前記第３の手段から得られた撮像信号から、前記第２の手段から得られた直流レベルの差分を減算し、かつ前記第４の手段から得られた直流レベルの差分を減算する第５の手段と、
を有することを特徴とする撮像信号補正回路。
【発明の詳細な説明】
【技術分野】
【０００１】
本発明は、ＨＤＴＶ方式の画素数（１０８０×１９２０）以上の画素数を持つ超高精細撮像装置に用いる固体撮像素子から得られる撮像信号の撮像信号補正回路に関するものである。
【背景技術】
【０００２】
従来、ＨＤＴＶの画素数以上の画素数を持つ固体撮像素子においては、特に動画用の高速読み出し動作を実現するため、全画素領域を略一定間隔に複数のエリアに分割し、その複数のエリアを略同一のタイミングにて駆動する並列読み出し動作を行う構成が考えられている。
【０００３】
この並列に読み出された被写体光像の黒に相当する撮像信号部分の安定化を行うため、撮像素子の受光面上に垂直方向遮光部を設け、この遮光部から得られる信号を基に、１垂直走査期間に一回の垂直直流クランプを行い１フレーム或いは１フィールド毎の垂直走査期間の直流分変動を防いでいた（例えば、特許文献１参照。）。
【０００４】
この様な垂直直流クランプでは、例えば水平方向に分割された複数の撮像エリア全てに対して１フレーム或いは１フィールド毎の走査期間に１回のクランプを行うため、被写体光像の黒部分のレベルが揃った撮像信号を得ることが出来た。
【０００５】
しかし，この様な従来の方法では水平走査期間の直流分変化に対する信号変動には対応出来なかった。例えば、図２に強いスポット光が当たった被写体光像を撮像した時に撮像素子から出力された撮像信号をディスプレイに表示させた画像例を示すが、このように被写体光像に部分的に強い光（スポット光Ｐｗ）が照射された場合、これを撮像して得た撮像信号による画像は水平方向に縞状のストリーキング（横縞Ｓｔｗ）を生じ、従来の垂直直流クランプでは垂直走査期間の直流分変動に対応しているのみなので、水平走査期間の直流分変化には対応出来なかった。
また一方で、ＨＤＴＶ方式を超える、所謂超高精細撮像装置に用いられる撮像素子においては、画素数が膨大となりチップ面積がかなり大きくなるため、チップ内部で電源供給部から各画素を接続する電源ラインの長さが増加する。このため、電源供給位置から離れるほど電源ラインの内部抵抗による電圧降下が大きくなっていた。
この電源供給位置からの距離の差により撮像素子のそれぞれの画素に供給される電圧が異なると、撮像素子から出力されるそれぞれの撮像信号レベルが異なり、画質劣化を生じる。特に、強いスポット光が入射した場合は、部分的に大きな電圧降下を生じる。
この現象は電荷量ではなく電圧値や電流値を信号量とするＣＭＯＳセンサーにおいて顕著である。
【特許文献１】特開２００３−１６９２６２号公報
【発明の開示】
【発明が解決しようとする課題】
【０００６】
水平方向に複数に分割した全撮像エリア毎に水平遮光部を設けて水平直流クランプによる撮像信号の直流分補正を行おうとすると、中央部分の撮像エリア内にも遮光部を設定することになり、この遮光部部分の被写体光像の撮像画像が欠如し問題点となる。
【０００７】
そこで本発明は、上述した問題点を解決して、強いスポット光が入射した場合に生じる水平方向の縞状のストリーキングを、遮光部のない撮像エリヤにおいても削除出来る撮像信号補正回路を提供することを目的とする。
【課題を解決するための手段】
【０００８】
上記目的を達成するため、第１の発明の撮像信号補正回路は、  被写体光学像を受光する受光面（Ａ１〜Ａ４）と、前記受光面の垂直方向及び水平方向に亘り多数の画素をマトリクス状に配置してなりかつ前記水平方向に配置されている前記多数の画素を所定数毎に前記水平方向に分割して得た複数の画素群（撮像エリアＡ１〜撮像エリアＡ４）と、前記複数の画素群の両端又は片端（撮像エリアＡ１）に位置する前記画素群のうち前記垂直方向が前記受光面の端部に対応し前記水平方向が所定数の画素に対応する画素領域全体を遮光した遮光部（遮光部Ｏｐ）と、を有する撮像素子（撮像素子１）から出力し、前記遮光部及び前記複数の画素群のそれぞれから取り出す撮像信号を用いて、少なくともストリーキング現象を除去する撮像信号補正回路であって、前記撮像素子が受光する光が遮断されている時に、前記各複数の画素群をライン方向に走査して得た撮像信号の直流レベルを得る第１の手段（Ｓ１０１）と、前記撮像素子が受光する光が遮断されている時に前記遮光部のみから出力する直流レベルに対する、前記第１の手段から得られた直流レベルの差分を検出する第２の手段（Ｓ１０２）と、前記被写体光像が撮像されている時に、前記各複数の画素群をライン方向に走査して得た撮像信号を得る第３の手段（Ｓ１０５）と、前記被写体光像が撮像されている時の前記遮光部のみから出力する直流レベルから、前記撮像素子が受光する光を遮断されている時の前記遮光部のみから出力する直流レベルの差分を検出する第４の手段（Ｓ１０６）と、前記第３の手段から得られた撮像信号から、前記第２の手段から得られた直流レベルの差分を減算し、かつ前記第４の手段から得られた直流レベルの差分を減算する第５の手段（Ｓ１０７）と、を有することを特徴とする撮像信号補正回路である。
【発明の効果】
【０００９】
本発明の撮像信号補正回路は、スポツト光によって生じる直流レベル変動により、水平方向に縞状のストリーキングが生ずるのを、防止出来る撮像信号回路を提供できるという効果がある。
【発明を実施するための最良の形態】
【００１０】
撮像素子を水平方向に複数に分割した撮像エリアにおいて、両端または片端の撮像エリアに水平方向の遮光部を設け、この水平方向の遮光部から得られる補正信号を基に、全ての撮像エリアの信号に対して被写体光像遮断時の直流レベルの差分を減算し、かつ撮像時と遮断時の直流レベルの差分を減算することにより、水平方向に縞状のストリーキングが生じるのを防ぐ最良の形態である。
【００１１】
以下、本発明の実施の最良の形態につき、好ましい実施例により、図面を参照して説明する。
【実施例１】
【００１２】
図１は本発明に係る複数の撮像エリアを持つ撮像素子例を示す構成図である。
【００１３】
この図においては、水平方向の画素数をＨＤＴＶ方式の２倍（１９２０×２＝３８４０）以上の３８８８画素とし、これを４つの撮像エリアに分割した例である。
【００１４】
従って、１つの撮像エリアは水平方向９７２画素、垂直方向２１６０画素となる。
【００１５】
垂直方向の画素数はＨＤＴＶ方式の２倍の２１６０画素であるが、垂直帰線期間を考慮すれば２２５０画素までは増加出来る。
【００１６】
この撮像素子例は超高解像度ＣＭＯＳ型撮像素子を用いたもので、撮像エリアＡ１は水平走査周波数をＨＤＴＶの２倍（１５．７５ｋＨｚ×２＝３１．５ｋＨｚ）として順次撮像素子の被写体受光信号を水平シフトレジスタ１に送り波形整形した後Ａｍｐ１にて増幅して撮像信号Ｐ１としたものである。
【００１７】
同様にして撮像エリアＡ２〜撮像エリアＡ４において、撮像信号Ｐ１と並列に撮像信号Ｐ２〜撮像信号Ｐ４を得る。
【００１８】
この４分割したそれぞれの撮像エリアＡ１〜Ａ４において、最も左端にある撮像エリアＡ１の左端の水平方向に幅２４画素、垂直方向に２１６０ライン全ての領域を遮光部として設定する。
【００１９】
この遮光部は、一般的には、半導体プロセスにおいてアルミ配線層を使った遮光膜で生成するが、撮像素子前面に設けられるカバーガラスに黒色塗料等による遮光部分を設けても良い。この撮像エリアＡ１の左端に遮光部を全水平ライン２４画素設置することにより、常に光が遮断された撮像信号を得、この撮像信号により撮像素子全画素の直流分レベルの補正を行う。
【００２０】
図２は、図１に示した撮像素子上に、１００％白レベルＰｗｈｉｔｅ以上の撮像信号を生成するスポット光Ｐｗが入射した場合に発生するストリーキングの様子を、模式的に表したものである。
【００２１】
同図には、垂直方向の撮像信号レベルをＳ１，Ｓ２，Ｓ３の垂直線の位置から抽出し、その信号波形を図の下方にそれぞれ示す。
【００２２】
更に同図には、スポット光Ｐｗにより、略同一ライン幅で水平方向に帯状の横縞Ｓｔｗが現れており、被写体光像が遮断されたときの遮光部Ｏｐの信号レベルＰｂｌａｃｋに対し、被写体光像としてスポット光Ｐｗを撮像した時に、更に低いレベルのＰｄｏｗｎにシフトした例を示している。
【００２３】
図３は、スポット光Ｐｗにより生じた横縞Ｓｔｗを削減するための補正回路構成を示す図である。
【００２４】
この補正回路は遮光部を持つ撮像素子１、撮像信号をデジタル信号に変換するＡ／Ｄ２、遮光部による補正信号を生成する遮光部演算回路３、デジタル信号から補正信号を差し引いて横縞Ｓｔｗを削減する遮光補正演算回路４から構成される。
【００２５】
次に図３に示す補正回路の動作を説明する。
【００２６】
まず、撮像素子１の４分割されたそれぞれの撮像エリアＡ１〜撮像エリアＡ４から並列に出力された撮像信号Ｐ１〜撮像信号Ｐ４は、Ａ／Ｄコンバータ２により４チャンネルのディジタル撮像信号Ｄ１〜ディジタル撮像信号Ｄ４に変換される。
【００２７】
この４チャンネルのディジタル撮像信号Ｄ１〜ディジタル撮像信号Ｄ４は、遮光補正演算回路４に入力された後、所定の補正演算が施されＯｕｔ１〜Ｏｕｔ４として出力される。一方、前記遮光部が設けられた撮像エリアＡ１から得られたディジタル撮像信号Ｄ１は、別途設けられた遮光部演算回路３にも入力され、その出力である遮光部補正値Ｐｃｕｔは前記遮光補正演算回路４へ送られ、前記補正演算のパラメータとして用いられる。
【００２８】
図４は、図３に示された遮光部演算回路３、遮光補正演算回路４のより詳細な構成例を示したものである。
【００２９】
この遮光部演算回路３は、遮光部画素信号加算器３ａ、加算結果保持回路３ｂ、タイミング制御回路３ｃから構成される。
【００３０】
そして遮光補正演算回路４はＬＵＴ１〜ＬＵＴ４、減算回路１〜減算回路４で構成されている。
【００３１】
次に図４に示す回路の動作例を説明する。
【００３２】
まず、撮像信号Ｄ１は遮光部画素信号加算器３ａに加えられ、水平１ライン毎に遮光部の画素信号を累積加算した信号Ｄ１ａｄｄを生成する。遮光部Ｏｐは２４画素であるが例えばタイミング制御回路３ｃの加算範囲Ａｄにより雑音の影響の少ない中心部の１６画素に制限して加算する。そしてこの加算結果を加算結果保持回路３ｂに次の水平1ライン期間の加算結果が得られるまで遮光部補正値Ｐｃｕｔとして保持する。
【００３３】
次に遮光部補正値Ｐｃｕｔは遮光補正演算回路４に入力される。そして、遮光補正演算回路４のルックアップテーブル（以下、ＬＵＴ１〜ＬＵＴ４とする）により所定の演算を行い、補正信号ＰＬ１〜補正信号ＰＬ４として減算回路１〜減算回路４へ入力する。
【００３４】
前記ＬＵＴ１〜ＬＵＴ４の各変換テーブルは、各撮像エリアごとに異なる直流分レベルを一致させるよう、遮光部補正値と各撮像エリアから得られた撮像信号の直流分レベルの関係から、予め各撮像信号のシフト量を求め、それぞれの各補正信号を生成するための変換テーブルとして設定したものである。
【００３５】
変換テーブルの内容としては、補正開始点、補正利得、補正リミット等の非線形特性を考慮してテーブルを設定する。
【００３６】
次に、変換テーブルの算出例を、図５及び図６を用いて説明する。
【００３７】
図５は撮像信号補正回路における補正時の信号波形を示す図であり、図６は直流分を補正する際のフローチャートを示す図である。
【００３８】
この変換テーブルの算出においては、最初に、各撮像エリアごとの直流分レベルのシフト量を算出し、次に前記ＬＵＴ１〜ＬＵＴ４の各変換テーブルを生成する。
【００３９】
まず、図５（Ａ）は撮像素子１の被写体光像からの入射光量を全て遮断した場合の、撮像エリアＡ１〜撮像エリアＡ４における水平方向１ラインのデジタル撮像信号Ｄ１〜デジタル撮像信号Ｄ４の直流分レベルを示す。
【００４０】
点線部を０レベルとして、撮像エリアＡ１の遮光部ＯｐはＳ００、撮像部はＳ１０の直流分レベルとする。この場合はＳ００＝Ｓ１０であり直流分の標準レベルとする。以下、撮像エリアＡ２はＳ２０、撮像エリアＡ３はＳ３０、撮像エリアＡ４はＳ４０の直流分レベルで表す。
【００４１】
この状態で各撮像エリアの直流分レベルを揃えるための補正値を算出する。
【００４２】
まず、撮像エリアＡ１の補正値Ｅ１はＥ１＝Ｓ１０−Ｓ００＝０である。以下同様に撮像装置Ａ２の補正値Ｅ２はＥ２＝Ｓ２０−Ｓ００，撮像装置Ａ３の補正値Ｅ３はＥ３＝Ｓ３０−Ｓ００，撮像装置Ａ４の補正値Ｅ４はＥ４＝Ｓ４０−Ｓ００として算出する。
【００４３】
この算出した補正値Ｅ１〜補正値Ｅ４を各撮像エリアのデジタル撮像信号から減算すれば各撮像エリアの直流分レベルは、被写体光像からの入射光量を全て遮断した場合において、均一な直流分Ｓ００のレベルとなり、この直流分Ｓ００が直流分基準値となる。
【００４４】
次に（Ｂ）は、図２に示されるように撮像信号レベルに換算して５０％以下の均一光が全体に照射されているものとし、その中に撮像エリアＡ３にスポット光を照射した場合の、撮像エリアＡ１〜撮像エリアＡ４における水平方向１ライン分のデジタル撮像信号Ｄ１〜デジタル撮像信号Ｄ４を示す。
【００４５】
ここでは、撮像エリアＡ１の遮光部Ｏｐはスポット光によるストリーキングの影響を受けてＳ００より低いレベルのＳ０１となる。そしてＳ００との差分Ｓｔ＝Ｓ０１−Ｓ００を演算し、差分Ｓｔを得る。
【００４６】
この差分Ｓｔを補正値Ｅ１〜補正値Ｅ４から減算し、更に、この減算した補正値を各撮像エリアのデジタル撮像信号毎に減算すれば直流分が揃った各撮像信号を得られる。
【００４７】
それでまず、差分Ｓｔを補正値Ｅ１〜補正値Ｅ４から減算した補正値を算出する。
【００４８】
遮光部Ｏｐでは前述したようにＥ１＝０であるから、
Ｓ０２＝Ｓ０１−（Ｓｔ−Ｅ１）＝Ｓ０１−Ｓ０１＋Ｓ００
＝Ｓ００  ．．．．．直流分基準値
撮像エリアＡ１も同様にＥ１＝０であるから、
Ｓ１２＝Ｓ１１−（Ｓｔ−Ｅ１）＝Ｓ１１−Ｓ０１＋Ｓ００−Ｓ１０＋Ｓ００
＝Ｓ１１−Ｓ０１−Ｓ１０＋２ｘＳ００
＝Ｓ１１−Ｓ０１＋Ｓ００
撮像エリアＡ２は、
Ｓ２２＝Ｓ２１−（Ｓｔ−Ｅ２）＝Ｓ２１−Ｓ０１＋Ｓ００−Ｓ２０＋Ｓ００
＝Ｓ２１−Ｓ０１−Ｓ２０＋２ｘＳ００
以下同様に、
撮像エリアＡ３は、
Ｓ３２＝Ｓ３１−Ｓ０１−Ｓ３０＋２ｘＳ００
スポット光部分は、
Ｓ３２Ｗ＝Ｓ３１Ｗ−Ｓ０１−Ｓ３０＋２ｘＳ００
撮像エリアＡ４は、
Ｓ４２＝Ｓ４１−Ｓ０１−Ｓ４０＋２ｘＳ００
となる。
【００４９】
更に図５(Ａ)に示される直流分レベルは予め固定値として設定出来るから、例えば撮像エリアＡ１の固定値をＫ１とすると、
Ｓ１２＝Ｓ１１−Ｓ０１−Ｓ１０＋２ｘＳ００から
＝Ｓ１１−Ｓ０１−Ｋ１      （Ｋ１：Ｓ１０−２ｘＳ００）
に変換出来る。
【００５０】
以下同様に、
Ｓ２２＝Ｓ２１−Ｓ０１−Ｋ２      （Ｋ２：Ｓ２０−２ｘＳ００）
Ｓ３２＝Ｓ３１−Ｓ０１−Ｋ３      （Ｋ３：Ｓ３０−２ｘＳ００）
Ｓ４２＝Ｓ４１−Ｓ０１−Ｋ４      （Ｋ４：Ｓ４０−２ｘＳ００）
が成立する。
【００５１】
図４においてのＰｃｕｔは直流分Ｓ０１、撮像信号Ｄ１〜撮像信号Ｄ４はＳ１１〜Ｓ４１に相当する。従ってＬＵＴ１〜ＬＵＴ４でＰｃｕｔをＳ０１として入力し、（Ｓ０１＋Ｋ１）〜（Ｓ０１＋Ｋ４）の演算を行った後、得られた補正信号ＰＬ１〜ＰＬ４を減算回路１〜減算回路４へ撮像信号Ｄ１〜撮像信号Ｄ４と共に入力すれば、Ｓ１２〜Ｓ４２に相当する補正信号Ｏｕｔ１〜Ｏｕｔ４が得られる。
【００５２】
以上により、直流分レベルをＳ００の直流分基準値に固定し、ストリーキング補正も同時に行うことが出来る。
【００５３】
また、各ＬＵＴには撮像エリア毎に、撮像信号レベルによる直線性や飽和レベル或いは直流分のシフト量が異なるといった非線形の固有な特性がある場合は、予め前記固定値と共にテーブルに組み込んで設定しておけばより良好な補正を行うことが出来る。
【００５４】
このようにして、撮像エリアＡ１の遮光部の撮像信号の加算信号ＰｃｕｔをＬＵＴ１〜ＬＵＴ４に加え、得られた補正信号ＰＬ１〜補正信号ＰＬ４を減算回路１〜減算回路４に加えれば、それぞれの減算回路の一方の入力には、各撮像エリアから得られたディジタル撮像信号Ｄ１〜ディジタル撮像信号Ｄ４が入力されており、この結果、減算回路１〜減算回路４からは（撮像信号Ｄ1−補正信号ＰＬ１）〜（ディジタル撮像信号Ｄ４−補正信号ＰＬ４）の演算により直流分レベルの一致した出力信号Ｏｕｔ１〜出力信号Ｏｕｔ４が得られる。
【００５５】
以上の様な構成をとることにより、スポット光など部分的な強い光が入射した場合でも、スポット光により発生したストリーキング部分の遮光部におけるシフト量を検出し、その値をもとにストリーキング部分の撮像信号を補正することによって、尾引き状の横縞が消滅された均一な撮像信号を得ることが出来る。
【００５６】
また、遮光部の加算信号Ｐｃｕｔとデジタル撮像信号Ｄ１〜デジタル撮像信号Ｄ４のシフト量の関係が線形演算による特性に近似可能な場合は、ＬＵＴの代わりに単なる線形演算回路（例えば、乗算器や加算器）に置き換えることが出来る。
【００５７】
さらに、本実施例においては、分割された４つの撮像エリアの内、左端の撮像エリアＡ１に遮光部Ｏｐを設けた場合を想定しているが、右端の撮像エリアＡ４の最右端にも遮光部を設け、両方の遮光部から検出したシフト量から、前記した遮光部補正値を求めることも出来る。
【実施例２】
【００５８】
実施例２は電源供給路の抵抗値が大きい場合の撮像信号補正回路例である。
【００５９】
以下実施例２の内容について説明する。
【００６０】
図７は電源供給路の抵抗値が大きい場合の水平方向撮像信号レベル波形例を示す。
【００６１】
まず、図７（Ａ）はスポット光が撮像素子に照射された例を示す。この図７の（Ａ）に示すようにスポット光Ｐｗによりストリーキングが発生するが、同図に示すように、電源供給開始ラインが遮光部Ｏｐの方に接続されていると、ストリーキングのレベルが遮光部Ｏｐに近いほど大きく、離れるほど小さくなる。
【００６２】
一方、図７（Ｂ）は均一光が撮像素子に照射された場合の水平信号波形を示す図であり、均一光であっても遮光部Ｏｐに近い方は電圧降下が少ないため信号レベルが大きく、離れるほど電圧降下の影響が大きくなり信号レベルが低下する。撮像素子を照射する光が明るいほど遮光部Ｏｐに近い方と遠いほうのレベル差は大きくなる。
【００６３】
そして、図４の遮光補正演算回路４に相当する実施例２の遮光補正演算回路４‘を図８に示す。
【００６４】
この遮光補正演算回路４‘は撮像領域全体の撮像信号レベル変動による電力消費状態の影響を受けて劣化する画質を予め各撮像エリアのラインメモリ毎に記憶した各撮像エリア毎の補正データＭｄａｔａ１〜Ｍｄａｔａ４により補正する。
【００６５】
遮光補正演算回路４‘は図８に示されるように、ＬＵＴ１〜ＬＵＴ４，補正波形用ラインメモリ１〜補正波形用ラインメモリ４、乗算回路１〜乗算回路４、減算回路１〜減算回路４で構成されている。
【００６６】
この遮光補正演算回路４‘の動作例を次に説明する。他の動作については実施例１と同様である。
【００６７】
まず、予め各撮像エリア毎に標準の均一光を撮像素子に入射して得た各水平１ライン分のデータＭｄａｔａ１〜Ｍｄａｔａ１４を各補正波形用ラインメモリ１〜ラインメモリ４に記憶して置く。
【００６８】
そして遮光部Ｏｐの信号ＰｃｕｔがＬＵＴ１〜ＬＵＴ４に加えられ実施例１と同様に補正開始点、補正利得、補正リミット点などの非線形特性を考慮した適正値に補正されたのち乗算回路１〜乗算回路４に加えられる。乗算回路１〜乗算回路４には、電圧降下量をそれぞれ予め測定して算出した補正波形用ラインメモリ１〜ラインメモリ４に記憶されている補正データＭｄａｔａ１〜Ｍｄａｔａ４が、各画素の乗数として提供され、この補正データにより適正値に補正された遮光部の信号Ｐｃｕｔを撮像エリアＡ１〜Ａ４用の遮光部信号Ｐｃｕｔ１〜Ｐｃｕｔ４として生成する。
【００６９】
次に減算回路１〜減算回路４に撮像信号Ｄ１〜撮像信号４を加え、この撮像信号Ｄ１〜撮像信号４から撮像エリアＡ１〜Ａ４用の遮光部信号Ｐｃｕｔ１〜Ｐｃｕｔ４を差し引けば、スポット光Ｐｗに電圧降下が加算されて発生したストリーキングを削除した出力信号Ｏｕｔ１〜出力信号Ｏｕｔ４を得ることが出来る。
【実施例３】
【００７０】
実施例３においては、電源供給路の抵抗値が大きく距離が長くなるほど電圧降下が大きい場合の実施例２の補正に加え、電源供給部自体の消費電力量による電圧変動の影響をさらに補正するものである。
【００７１】
図９に撮像信号レベルの大小による供給電源部の変動の影響をさらに軽減するために、水平方向全画素の撮像信号を累積加算して電圧低下によるストリーキング発生の補正を行う回路構成例を示す。
【００７２】
この補正回路は撮像素子１、Ａ／Ｄ２、遮光部演算回路３、撮像信号累積回路５、総合補正回路６から構成される。
【００７３】
この回路の動作を以下に説明する。
【００７４】
撮像素子１から出力された撮像信号Ｐ１〜Ｐ４をＡ／Ｄ２でデジタル信号Ｄ１〜デジタル信号Ｄ４に変換した後撮像信号累積回路で１ライン全ての画素の撮像信号を加算した加算信号Ｐａｄｄを生成し、総合補正回路６にＰｃｕｔとデジタル信号Ｄ１〜デジタル信号Ｄ４と共に加えてより詳細な補正を行い、出力信号Ｏｕｔ１〜出力信号Ｏｕｔ４を得る。
【００７５】
そして、図１０に撮像信号累積回路５の詳細図を示す。
【００７６】
この回路は、加算器、１画素遅延回路、全画素加算器より構成される。
【００７７】
各撮像エリア毎に１ライン分の画素を加算器と１画素遅延回路により加算した後、１ライン加算終了後ラインパルスＰｍのＯＮ時にまとめて全画素加算器で１ライン分の全画素を加算し、そのまま次の１ライン期間記憶する。この時１ライン分時間が遅れるから補正演算では撮像信号を１ライン遅延させてから用いる。
【００７８】
このように全画素の撮像信号を累積加算することにより、電力消費量を算出して供給電源部の電圧降下を補正することにより、良好な画像を得ることが出来る。
【図面の簡単な説明】
【００７９】
【図１】本発明に係る複数のエリアを持つ撮像素子例を示す構成図である。
【図２】スポット光が撮像素子を照射したときに生ずるストリーキングの状態を模式的に示した図である。
【図３】本発明の撮像信号補正回路の実施例１を示す図である。
【図４】本発明の撮像信号補正回路の実施例１における遮光部演算回路を示す図である。
【図５】撮像信号補正回路における補正時の信号波形を示す図である。
【図６】本発明の直流分を補正する際のフローチャートを示す図である。
【図７】電源供給時の抵抗値が大きい場合に、スポット光が撮像素子を照射したときに生ずるストリーキングの状態を模式的に示した図である。
【図８】本発明の撮像信号補正回路の実施例２における遮光部演算回路を示す図である。
【図９】本発明の撮像信号補正回路の実施例３を示す図である。
【図１０】本発明の撮像信号補正回路の実施例３における撮像信号累積回路を示す図である。
【符号の説明】
【００８０】
１  撮像素子
２  Ａ／Ｄ：アナログ／デジタル変換
３  遮光部演算回路
４  遮光補正演算回路
５  撮像信号累積回路
６  総合補正演算回路
Ａ１  撮像エリア
Ｏｐ  遮光部
Ｐ１，Ｐ２，Ｐ３，Ｐ４  撮像信号
【図１】
2005130331.tif 000003
【図２】
2005130331.tif 000004
【図３】
2005130331.tif 000005
【図４】
2005130331.tif 000006
【図５】
2005130331.tif 000007
【図６】
2005130331.tif 000008
【図７】
2005130331.tif 000009
【図８】
2005130331.tif 000010
【図９】
2005130331.tif 000011
【図１０】
2005130331.tif 000012